(57)【要約】【課題】  これまでクーラーとしての機能のみしか与えられなかったワインクーラーを利用し、ワイングラスホルダの台座として食卓テーブルに装飾性と実用性を与える。【解決手段】  ワインクーラー１を、ワインを冷却するための容器部１０と、容器部１０の上端周縁に配置される、ワイングラス４を保持するグラスホルダ部２０とから構成する。グラスホルダ部２０にはグラスホルダ穴２１が円周状に複数配置され、グラスホルダ穴２１にはタンブラー型のワイングラス４を上方から挿入することにより保持することができる。ワインホルダ穴２１には横方向に延びる挿入溝２２を設けることで、本体、脚、台を備えた通常のワイングラス４ａを横方向に挿入して保持することもできる。グラスホルダ部２０は環状ボード又は所定形状に折り曲げたワイヤで形成することができる。容器部１０の外周面には、ナプキン６の保持などに利用可能なポケット１１を設けてもよい。【選択図】図１
2010148714.tif 000002
【特許請求の範囲】
【請求項１】
上方に開口した筒状の容器部からなるワインクーラーの上端周縁に配置され、前記上端から水平方向外側に延伸するワインクーラー用のグラスホルダであって、ワイングラスを上方または横方向から挿入可能なグラスホルダ穴を１つ、もしくは前記ワインクーラー上端周縁の円周方向に複数配置したことを特徴とするグラスホルダ。
【請求項２】
前記グラスホルダが、ワインクーラーの上端周囲を巡る環状のボード、または複数のグラスホルダ穴を形成しつつワインクーラーの上端周囲を巡るよう曲げ加工されたワイヤまたはパイプで形成されていることを特徴とする、請求項１に記載のグラスホルダ。
【請求項３】
前記グラスホルダが、少なくとも２つに分割可能、または折り畳み可能に形成されていることを特徴とする、請求項２に記載のグラスホルダ。
【請求項４】
前記グラスホルダが、前記ワインクーラーの上端の周縁に差し込んで固定する固定部を備えた、１つのグラスホルダ穴を有する個別グラスホルダであることを特徴とする、請求項１に記載のグラスホルダ。
【請求項５】
少なくとも１本のワインボトルと保冷材とが収納可能な、底面が閉鎖され上方が開放された筒状の容器部と、
前記容器部の開放した上端の周縁から水平方向に延び、少なくとも１つのグラスホルダ穴を有する、前記容器部と一体もしくは分離可能に形成されたグラスホルダ部と、から構成されるワインクーラーであって、
前記グラスホルダ部が、請求項１から請求項４のいずれか一に記載のグラスホルダであることを特徴とするワインクーラー。
【請求項６】
前記ワインクーラーが、前記容器部の外周面周囲に、ナプキン、装飾用花が差し込み可能な複数の多目的ポケットをさらに有することを特徴とする、請求項５に記載のワインクーラー。
【請求項７】
前記ポケットが、前記容器部を載置する皿状の装飾容器であって上方に向けて延びる皿状の側壁部が波状に形成された装飾容器と、前記容器の外周面との間に断続的に形成されるポケットであることを特徴とする、請求項６に記載のワインクーラー。
【発明の詳細な説明】
【技術分野】
【０００１】
本発明は、ワインクーラーに配置されて使用されるワインクーラー用のグラスホルダ、並びに該グラスホルダを備えたワインクーラーに関する。
【背景技術】
【０００２】
ワインクーラーは、氷などの保冷材と共にワインボトルを入れ、食事の間を通してワインを適度な温度に保冷しておくための容器として古くから用いられている。これまでワインクーラーは、食事の際の副次的な用具として扱われ、専用のカートなどに載せてテーブルの脇に置かれるか、あるいはテーブルの縁になるべく目立ち難いように置かれるのが一般的である。また、同様の理由によって、ワインクーラーは一般にワインを保冷するという機能面のみが注目され、装飾性などは比較的無視されてあくまでも「脇役」として取り扱われる傾向があった。
【０００３】
一方、ワインクーラーとワイングラスを組み合わせる例は従来技術にも見られる（例えば、特許文献１参照。）。しかしながら当該従来技術は、単に持ち運びに便利になるよう組み合わされたものであって、使用時には一般的な使用状態と同様にワインクーラーとワイングラスとは別々に使用されるものであった。
【特許文献１】特開２００３−１５３７２１号公報
【発明の開示】
【発明が解決しようとする課題】
【０００４】
すなわち、従来ではワインクーラーを、例えばテーブルの中央に据えてその装飾性を積極的に演出することは行われていなかった。また、ワインクーラーはあくまでもワイン保冷用の役割を果たすために機能特化され装置であり、他の用途と組み合わせて使用されることはこれまで考えられていなかった。
【０００５】
しかしながらワインクーラーは、通常はボトル１本ないし複数本と保冷材とを収納するためにそれなりのスペースと存在感を占めるものであり、これに何らかの付加価値を与えることが考えられてもよい。特には食事中に使用されるものであるから、食卓に華やぎを与え、さらには実用的な機能を与えられれば、極めて有効な存在意義を見出し得る用具となりえる。
【０００６】
これとは別に、ワイングラスやシャンペングラス（以下、まとめて「ワイングラス」と呼ぶ。）として使用され得るものの中に、下細りとなったタンブラー型のグラスがある。一般に知られるワイングラスでは、上方から容器部を形成する本体（ボウル）、つなぎ部分となる脚（ステム）、そして全体を保持する台（プレート）の３要素から構成されている。これに対してタンブラー型のグラスは、これら３要素の区別がなく、基本的に下細りとなった一体的容器となっている。このために通常のワイングラスとは異なり、ワイン等の液体を入れたままでは不安定な状態となって倒れ易く、またタンブラー型の極端な例としては逆円錐形となって自ら立つことはできないものまである。これは、動物の角をくり抜いて作ったグラスの起源に由来している。
【０００７】
この下細りとなったタンブラー状のグラスは、不安定ではあるもののデザイン的にはエレガントであり、食卓などで使用されれば豪華で上品な雰囲気を醸し出すものであることは知られているが、その使い勝手の悪さ故に使用が制約されているのが実状であった。タンブラーホルダなどの特別の用具を用いれば別であるが、この場合にはそのための個別用具が必要となり、またそれによってテーブルスペースを占めすることになるなどの問題があった。すなわち、従来技術では下細りとなるタンブラー型のワイングラスを食卓で使用できるようにするための十分な技術環境が存在していなかったと言える。
【０００８】
以上より、本発明はこれまであまり顧みられなかったワインクーラーの存在価値に注目し、食卓テーブルに装飾性と実用的機能を追加したものとすることを目的としている。そして、この実用的機能には、これまで使用するのに制約があったタンブラー型のワイングラスの使用を容易にすることが含まれる。本発明はさらに、食卓テーブルでスペースを占めることなく、容易にタンブラー型ワイングラスを保持することが可能なグラスホルダを提供することを目的としている。
【課題を解決するための手段】
【０００９】
本発明では、ワインクーラーを食卓テーブルの略中央に配置することを基本にし、ワイングラス、特には下細りのタンブラー型のワイングラスを保持できる保持機能を持たせ、さらにワインクーラーの周囲に装飾性のある要素を配置可能とすることにより上述した解消するもので、具体的には以下の内容を含む。
【００１０】
すなわち、本発明にかかる１つの態様は、上方に開口した筒状の容器部からなるワインクーラーの上端周縁に配置され、前記上端から水平方向外側に延伸するワインクーラー用のグラスホルダであって、ワイングラスを上方または横方向から挿入可能なグラスホルダ穴を１つ、もしくは前記ワインクーラー上端周縁の円周方向に複数配置したことを特徴とするグラスホルダに関する。
【００１１】
前記グラスホルダは、ワインクーラーの上端周囲を巡る環状のボード、または複数のグラスホルダ穴を形成しつつワインクーラーの上端周囲を巡るよう曲げ加工されたワイヤまたはパイプで形成することができる。さらに前記グラスホルダは、少なくとも２つに分割可能、またはヒンジ部などを介して折り畳み可能に形成することができる。
【００１２】
前記グラスホルダはさらに、ワインクーラーの上端の周縁に差し込んで固定する固定部を備えた、１つのグラスホルダ穴を有する単独のグラスホルダであってもよい。
【００１３】
本発明にかかる他の態様は、少なくとも１本のワインボトルと保冷材とが収納可能な、底面が閉鎖され上方が開放された筒状の容器部と、前記容器部の開放した上端の周縁から水平方向に延び、少なくとも１つのグラスホルダ穴を有する、前記容器部と一体もしくは分離可能に形成されたグラスホルダ部と、から構成されるワインクーラーであって、当該グラスホルダ部が、上述したもののいずれか一のグラスホルダを利用するものであることを特徴とするワインクーラーに関する。
【００１４】
前記ワインクーラーには、容器部の外周面周囲に複数のポケットをさらに設けてもよい。当該ポケットは、前記容器部を載置する皿状の装飾容器であって上方に向けて延びる皿状の側壁部が波状に形成された装飾容器と、前記容器の外周面との間に断続的に形成されるポケットとすることができる。
【発明の効果】
【００１５】
本発明の実施により、これまで食卓テーブルの脇役であったワインクーラーを機能的、装飾的に有効に活用できるようになるほか、使用が制約されていたタンブラー型のワイングラスが積極的に利用可能となり、食卓に上品な雰囲気を演出できるようになるという効果を奏する。
【発明を実施するための最良の形態】
【００１６】
本発明の第１の実施の形態に係るグラスホルダ、並びにワインクーラーについて、図面を参照して説明する。図１は、本実施の形態にかかるワインクーラーの使用状態における全体像を示している。図において、本実施の形態にかかるワインクーラー１は、中央部に上方に向かって開口する容器部１０と、その容器部１０から水平方向に花弁状に広がるグラスホルダ部２０とから構成されている。容器部１０の内部には、少なくとも１本、好ましくは２−３本のワインボトル２と、氷などの保冷材３とが収納可能である。グラスホルダ部２０には、複数のグラスホルダ穴２１が開口しており、各々のグラスホルダ穴２１にはワイングラス４を、図の破線矢印で示すように上から差し込んでこれを保持することができる。
【００１７】
容器部１０の下側には、オプションである円筒状の外周面周囲を巡って断続する複数のポケット１１が開口している。図示の例では、各ポケット１１内にナプキン６が折り畳んで収納されている。ポケット１１は、そこへ収納されるナプキン６などの取り扱いが容易となるよう、開口部が外に向かってやや低くなるよう傾斜していることが望ましい。このポケット１１は必要であれば追加可能なオプションであり、無くてもよい。
【００１８】
図１に示す例では、６人までが使用可能となるよう６つのグラスホルダ穴２１と６つのポケット１１を設けている。しかしながらこの数は任意であり、これよりも多くすることも少なくすることも選択可能である。また、容器部１０の水平方向の断面形状は図示例では円形となっているが、６角形、８角形などの多角形形状、あるいは楕円などのその他の異形形状であってもよい。
【００１９】
図１に示す態様では、容器部１０とグラスホルダ部２０とは一体に形成されている。例えば銀、銅、アルミなどの金属の深絞り加工並びにプレス加工により成形することが可能であるが、ただしこれに限定されるものではない。またポケット１１は、容器部１０と同様な材質の板材を波型、環状に成形してこれを溶接などにより取り付けることができる。
【００２０】
以上のように構成された本実施の形態にかかるワインクーラー１の一般的な使用時の態様としては、基本的にまずワインクーラー１が食卓テーブルの中央に置かれる。食卓テーブルは円形のものが好ましいが、角型でもよく、特殊な態様として長い矩形状のテーブルでは適当な間隔をおいて複数個のワインクーラー１が配置されてもよい。あるいは好ましくはないが、食卓から離れたサイドテーブル置いて従来のワインクーラーと同様に使用することもできる。容器１に、ワインボトル２と保冷材（氷）３が収納される。そしてグラスホルダ部２０のグラスホルダ穴２１には必要な数のワイングラス４が差し込まれる。図示の例では、下細りのタンブラー型のワイングラス４が使用されている。下部のポケット１１にもナプキン６が添えられ、セッティングが完了する。
【００２１】
食卓に着いた客はポケット１１からナプキン６を取り出して膝等に当て、さらにワイングラス４を取ってワイン等を注ぎ、食事が始まる。食事の間、ワイングラス４はテーブル上に置くことも、ワイングラスホール２１に差し込むことも自由である。特に下細りのタンブラー型のワイングラス４が使用される場合には、倒れやすい傾向にあるためグラスホルダ穴２１に差し込んで置くことが安全である。本実施の形態にかかるワインクーラー１を使用することによって、これまで使用が制約されていた極度に下細りとなったワイングラス４の使用が可能となり、ワインを飲む際にも、あるいはグラスホルダ穴２１に差し込んでおく場合にも、上品さを演出することができる。このようなタンブラー型のワイングラス４の利用、そして食事の間においてテーブル上でグラスホルダを利用したワイングラスの保持はこれまで見られなかったものであり、本実施の形態にかかるグラスホルダ部２０を備えたワインクーラー１によって始めて可能となったものである。このことは、本発明がワインクーラーの新たな役割を創造するものであるということができる。
【００２２】
また、本実施の形態にかかるワインクーラー１を使用することにより、食事の間にワイングラス４をグラスホルダ穴２１に置くことが可能となる結果、余裕のできたテーブルのスペースをより有効活用することが可能となる。また、食事の間に往々にしてテーブルの上に置かれたワイングラスを誤って倒すこともあるが、図１に示すようなグラスホルダ部２０を利用することにより、より安全に、より安定してワイングラスを保持することができるようになる。
【００２３】
図２は、本実施の形態にかかるワインクーラー１の他の利用態様を示している。図２において、ポケット１１にはナプキン６の代わりに花を差し込まれており、すなわちポケット１１を、テーブルに華やぎを与える装飾用として使用している。この際、ナプキン６は通常の配置場所であるテーブル上に置くことができる。ポケット１１は、この他にも工夫によって各種用途に用いられる多目的ポケットとして利用することができる。
【００２４】
次に、本発明の第２の実施の形態に係るグラスホルダ、並びにワインクーラーについて、図面を参照して説明する。図３は、本実施の形態にかかるワインクーラー１ａを示している。先の実施の形態にかかるワインクーラー１がグラスホルダ部２０を含む一体型であったのに対し、本実施の形態では各要素に分離可能とし、収納、搬送を容易にするものである。図３において、本実施の形態にかかるワインクーラー１ａは、中央部にある上方に向かった開口部を有する容器部１０ａがその中心を占める。容器部１０ａの上方には、つば状に半径方向外側に広がるグラスホルダ部２０ａが、容器部１０ａの開口部の上縁に載置可能に配置されている。
【００２５】
容器部１０ａ、グラスホルダ部２０ａの基本的機能は先の実施の形態における容器部１０、グラスホルダ部２０と同様である。ただし、グラスホルダ部２０ａに開口するグラスホルダ穴２１ａには、外側まで貫通する挿入溝２２が設けられている。これにより、上述したタンブラー型のワイングラス４だけでなく、本体、脚、台を備えた通常のワイングラス４ａを、その脚（ステム）を挿入溝２２に差し込むことによって保持することが可能となる。これは使用中に上方に向けたワイングラス４ａを保持できることのほか、不使用時には図の左側に示すように上下逆さまにして保管することも可能となる。なお、この挿入溝２２は、先の実施の形態における図１のグラスホルダ部２０にも同様に設けることができる。あるいは逆に、本実施の形態にかかるグラスホルダ穴２１ａに挿入溝２２を設けることなく、先の実施の形態と同様に単なる穴を開口させることであってもよい。
【００２６】
また、グラスホルダ部２０ａは、外径が大きいために収納、搬送時の障害となり易い。これを回避するために、グラスホルダ部２０ａには図示しないヒンジを設けることにより、図３の矢印２５と破線で示すように、グラスホルダ部２０ａを線Ｘ−Ｘを軸にして半分に折り畳み式とすることが便利である。折り畳まれたグラスホルダ部２０ａは、容器部１０ａ内に収められる寸法採りがされていることが望ましい。折り畳み以外にも、あり溝などを利用したはめ込み式とし、２分割あるいはそれ以上の数に分割可能にしてもよい。なお、グラスホルダ部２０ａの環状の内径部分には幅方向全周に延びるエッジ部２３が設けられ、このエッジ部２３が容器部１０ａの内側に嵌ることによってグラスホルダ部２０ａが容器部１０ａに対して位置決めされる。エッジ部２３と容器部１０ａとが対向する面には、いずれか一方または双方にプラスチックのコーティングを施すことで、両者が接触することによる傷などの傷み、あるいは汚れを回避することができる。
【００２７】
容器１０の下側には、オプションである円筒状の周囲を巡って断続する複数のポケット１１を設けるためのポケット用台皿３０が配置される。この台皿３０は、皿状を形成する環状の周壁が波状に形成されており、中心側に向かう波状の突端が容器部１０ａの外周面と接触することにより、周囲に個別のポケット１１を形成する。このポケット用台皿３０は、皿状とせず、底のない環状の波型部分のみとすることでもよい。ただし、ポケット１１内に花などを飾る場合には皿状として水が保持できるようにしておくことが好ましい。なお、このポケット用台皿３０は必要に応じて追加可能なオプションである。
【００２８】
以上のように構成されたワインクーラー１ａの使用時の態様は、先の実施の形態と全く同様である。ただし、各要素が分離可能であることから、使用時には事前に図３に示すようにセットし、使用後の保管時にはまた分離、必要な折り畳みなどの収納動作が必要となる。
【００２９】
分離可能とすることによるメリットとして、上述した収納、搬送に便利となることのほか、グラスホルダ穴２１ａの数、ポケット１１の数を変えた複数のグラスホルダ部２０ａ、ポケット用台皿３０を準備しておき、本体である容器部１０ａをそのまま使用してこれらグラスホルダ部２０ａ、ポケット用台皿３０を入れ替えることで必要な人数に合わせたワイングラスなどの配置が可能になることが挙げられる。
【００３０】
本実施の形態におけるグラスホルダ部２０ａの代替の態様を図４に示している。図４（ａ）は、ドーナツ状のボードの代わりにワイヤまたはパイプで形成したグラスホルダ部４０を示している。各グラスホルダ穴４１はワイングラスを上方または横方から受入れ可能となるよう挿入溝４２を設けており、一本のワイヤまたはパイプを曲げ成形して各グラスホルダ穴４１を円周状に巡り、グラスホルダ部４０を構成している。周囲の幾つかの部分には、容器部１０ａに載置された際に容器内部に嵌ってグラスホルダ部４０の位置決め規制となるフック部４３が設けられている。図は単なる一例であって、ワイヤまたはパイプを使用して他の形態に形成することも可能である。例えば、グラスホルダ穴４１には挿入溝４２を設けることなく、単なるリング状に形成してもよい。またワイヤやパイプではなく、板金によって同様な形状にすることも可能である。
【００３１】
なお、図示のように、環状となったグラスホルダ部４０にはヒンジ４４を配置し、折り曲げ線Ｘ−Ｘを軸にして折り畳めるようにすることが収納、搬送上好ましい。ヒンジ４４の代わりに差込み式とし、２つもしくはそれ以上の数に分割可能とすることもできる。差込み式にする際、パイプの場合には一方をつぶすなどして自身で差込み部を形成することができ、ワイヤの場合には差込み部に適当な太さのパイプを被せるようにすればよい。
【００３２】
図４（ｂ）は、さらなる代替として、容器部１０ａの周囲に環状に形成されるグラスホルダ部１０、１０ａとは異なり、１つのグラスホルダ穴５１を形成する単独の独立したグラスホルダ部５０を示している。図４（ａ）と同様、ワイヤまたはパイプによって形成された（あるいは板金であってもよい）グラスホルダ部５０は、挿入溝５２を備えたグラスホルダ穴５１を有し（ただし、挿入溝５２はなくてもよい）、一体に形成された一対の差込みフック５３、５４を有する。差込みフック５３、５４をそれぞれワインクーラー１ａの容器部１０ａの開口部上端の周縁を挟んで内側と外側に配して差込むことにより、グラスホルダ部５０は容器部１０ａに固定される。両差込みフック５３、５４には、容器部１０ａを確実に保持できるよう適切なスプリング力が付与されていることが好ましい。グラスホルダ部５０をこのような個別タイプとすることにより、人数に応じて必要な数だけのグラスホルダ部５０をワインクーラー１ａの周囲に配置することが可能となる。
【００３３】
以上、本発明の各実施の形態にかかるグラスホルダ、並びにワインクーラーの説明をしてきたが、上述したように、本発明にかかるワインクーラーは機能性のほかに装飾性を具備することができるという特性を有する。上述したように、本ワインクーラーを使用することによってタンブラー型ほかのデザイン性に優れたワイングラスが使用できるようになることのほか、容器部１０、１０ａを銀製、あるいは銀メッキ製とすることにより、テーブルの中央に配置されて豪華さを演出することができる。容器部１０、１０ａの周囲には彫刻または塗装による装飾を施すことができる。また、上述のようにポケット１１を利用して花などを添えることができる。グラスホルダ部２０、２０ａ、４０、５０においても同様に、材料、装飾性を選ぶことによって豪華さを与えることができる。すなわち、本発明にかかるグラスホルダ、ワインクーラーは、これまで気付かれていなかった新たな価値をワインクーラーに付与するものである。
【００３４】
なお、本明細書内において「グラスホルダ部」と「グラスホルダ」とが互換性をもって使用されているが、ワインクーラーの一部となる場合には「グラスホルダ部」となり、それ自身で単独の場合には「グラスホルダ」とも呼び得るためにそのようにしたまでであり、両者の構成に特に差異がある訳ではない。
【産業上の利用可能性】
【００３５】
本発明に係るワインクーラーは、飲食用基材の製造販売、並びに飲食物提供の各産業分野で広く利用することができる。
【図面の簡単な説明】
【００３６】
【図１】本発明の実施の形態にかかるグラスホルダ及びワインクーラーを示す斜視図である。
【図２】図１に示すワインクーラーの他の使用態様を示す斜視図である。
【図３】本発明の他の実施の形態にかかるグラスホルダ部及びワインクーラーを示す分解斜視図である。
【図４】図３にグラスホルダ部の代替案を示す斜視図である。
【符号の説明】
【００３７】
１、１ａ．ワインクーラー、  ４、４ａ．ワイングラス、  ６．ナプキン、  ７．花、  １０、１０ａ．容器部、  １１．ポケット、  ２０、２０ａ．グラスホルダ部（グラスホルダ）、  ２１、２１ａ．グラスホルダ穴、  ２２．挿入溝、  ３０．ポケット用台皿、  ４０．グラスホルダ部（グラスホルダ）、  ４１．グラスホルダ穴、  ４２．挿入溝、  ４３．フック部、  ４４．ヒンジ、  ５０．グラスホルダ部（グラスホルダ）、  ５１．グラスホルダ穴、  ５２．挿入溝、  ５３、５４．差込みフック。
【図１】
2010148714.tif 000003
【図２】
2010148714.tif 000004
【図３】
2010148714.tif 000005
【図４】
2010148714.tif 000006